【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
搬送される記録媒体に対し、記録ヘッドを用いて記録を行う記録装置において、
前記記録媒体を搬送する搬送手段と、
該搬送手段の回転量を計測することによって前記記録媒体の搬送量を取得する第１の搬送量計測手段と、
前記記録媒体の移動量を直接検出することによって前記記録媒体の搬送量を取得する第２の搬送量計測手段と、
前記第１の搬送量計測手段および前記第２の搬送量計測手段から得られるそれぞれの出力値を併用することによって前記搬送手段を制御するための制御手段と
を具備し、前記制御手段は、前記第２の搬送量計測手段から得られる値を用いて前記第１の搬送量計測手段から得られる値に対する補正値を算出する手段と、前記補正値を格納するメモリ手段とを有し、格納された前記補正値を用いて前記搬送手段を制御することを特徴とする記録装置。
【請求項２】
前記搬送手段は回転に応じて前記記録媒体を搬送する搬送ローラを備え、前記第１の搬送量計測手段は前記搬送ローラの回転量を検出する手段を備えることを特徴とする請求項１に記載の記録装置。
【請求項３】
前記第２の搬送量計測手段は、前記記録媒体からの反射光を受容する受光素子を１次元または２次元に配列してなる受光部を有する光学式センサであることを特徴とする請求項１または２に記載の記録装置。
【請求項４】
前記受光素子は、ＣＣＤまたはＣＭＯＳで構成されていることを特徴とする請求項３に記載の記録装置。
【請求項５】
前記第２の搬送量計測手段による計測は、一定の時間周期に行われることを特徴とする請求項１乃至４のいずれかに記載の記録装置。
【請求項６】
前記メモリ手段は、搬送する前記記録媒体の種類ごとに前記補正値を格納可能であることを特徴とする請求項１乃至５のいずれかに記載の記録装置。
【請求項７】
前記第２の搬送量計測手段の分解能は、前記第１の搬送量計測手段の分解能よりも高く、前記第１の搬送量計測手段によって得られる精度よりも高い位置精度で前記記録媒体を位置決めするように、前記制御手段が前記搬送手段を制御することを特徴とする請求項１乃至６のいずれかに記載の記録装置。
【請求項８】
前記制御手段は、前記第１の搬送量計測手段によって得られる精度よりも高い位置精度での搬送制御が必要となった段階で、前記第２の搬送量計測手段から得られる値に基づいて前記搬送手段の制御を行うことを特徴とする請求項７に記載の記録装置。
【請求項９】
搬送される記録媒体に対し、記録ヘッドを用いて記録を行う記録装置において、
前記記録媒体を搬送する搬送手段と、
該搬送手段の回転量を計測することによって前記記録媒体の搬送量を取得する第１の搬送量計測手段と、
前記記録媒体の移動量を直接検出することによって前記記録媒体の搬送量を取得する第２の搬送量計測手段と、
前記第１の搬送量計測手段および前記第２の搬送量計測手段から得られるそれぞれの出力値を併用することによって前記搬送手段を制御するための制御手段と
を具備し、前記制御手段は、少なくとも前記記録媒体の後端部領域を記録する際には、前記第２の搬送量計測手段から得られる値に基づいて前記搬送手段の制御を行うことを特徴とする記録装置。
【請求項１０】
前記制御手段は、前記記録媒体への記録が完了した後は、前記第１の搬送量計測手段から得られる値に基づいて前記搬送手段の制御を行うことを特徴とする請求項９に記載の記録装置。
【請求項１１】
前記搬送手段は、第１の搬送ローラから第２の搬送ローラに向けて前記記録媒体を搬送する構成を備え、前記記録媒体の前記後端部領域とは、前記記録媒体が前記第１の搬送ローラから離脱し、前記第２の搬送ローラのみによって搬送される段階において前記記録ヘッドが記録を行う領域であることを特徴とする請求項９または１０に記載の記録装置。
【請求項１２】
前記第２の搬送量計測手段は、前記第１の搬送ローラと前記第２の搬送ローラの間に配備されていることを特徴とする請求項１１に記載の記録装置。
【請求項１３】
前記第２の搬送量計測手段は、前記記録媒体の背面から該記録媒体の搬送量を計測することを特徴とする請求項１２に記載の記録装置。
【請求項１４】
搬送される記録媒体に対し、記録ヘッドを用いて記録を行う記録装置において、
第１の速度で前記記録媒体を搬送するモードと前記第１の速度より低速な第２の速度で前記記録媒体を搬送するモードを有する搬送手段と、
該搬送手段の回転量を計測することによって前記記録媒体の搬送量を取得する第１の搬送量計測手段と、
前記記録媒体の移動量を直接検出することによって前記記録媒体の搬送量を取得する第２の搬送量計測手段と、
前記第１の搬送量計測手段および前記第２の搬送量計測手段から得られるそれぞれの出力値を併用することによって前記搬送手段を制御するための制御手段と
を具備し、
前記制御手段は、前記第２の搬送量計測手段の有効範囲内で且つ前記第２の速度で前記記録媒体を搬送する際は、前記第２の搬送量計測手段から得られる値を用いて前記搬送手段を制御することを特徴とする記録装置。
【請求項１５】
前記搬送手段は回転に応じて前記記録媒体を搬送する搬送ローラを備え、前記第１の搬送量計測手段は前記搬送ローラの回転量を検出する手段を備えることを特徴とする請求項１４に記載の記録装置。
【請求項１６】
前記第２の搬送量計測手段は、前記記録媒体からの反射光を受容する受光素子を１次元または２次元に配列してなる受光部を有する光学式センサであることを特徴とする請求項１４または１５に記載の記録装置。
【請求項１７】
前記受光素子は、ＣＣＤまたはＣＭＯＳで構成されていることを特徴とする請求項１６に記載の記録装置。 
【請求項１８】
前記第２の搬送量計測手段による計測は、一定の時間周期に行われることを特徴とする請求項１４乃至１７のいずれかに記載の記録装置。
【手続補正２】
【補正対象書類名】明細書
【補正対象項目名】００２０
【補正方法】変更
【補正の内容】
【００２０】
そのために本発明では、搬送される記録媒体に対し、記録ヘッドを用いて記録を行う記録装置において、前記記録媒体を搬送する搬送手段と、該搬送手段の回転量を計測することによって前記記録媒体の搬送量を取得する第１の搬送量計測手段と、前記記録媒体の移動量を直接検出することによって前記記録媒体の搬送量を取得する第２の搬送量計測手段と、前記第１の搬送量計測手段および前記第２の搬送量計測手段から得られるそれぞれの出力値を併用することによって前記搬送手段を制御するための制御手段とを具備し、前記制御手段は、前記第２の搬送量計測手段から得られる値を用いて前記第１の搬送量計測手段から得られる値に対する補正値を算出する手段と、前記補正値を格納するメモリ手段とを有し、格納された前記補正値を用いて前記搬送手段を制御することを特徴とする。
また、搬送される記録媒体に対し、記録ヘッドを用いて記録を行う記録装置において、前記記録媒体を搬送する搬送手段と、該搬送手段の回転量を計測することによって前記記録媒体の搬送量を取得する第１の搬送量計測手段と、前記記録媒体の移動量を直接検出することによって前記記録媒体の搬送量を取得する第２の搬送量計測手段と、前記第１の搬送量計測手段および前記第２の搬送量計測手段から得られるそれぞれの出力値を併用することによって前記搬送手段を制御するための制御手段とを具備し、前記制御手段は、少なくとも前記記録媒体の後端部領域を記録する際には、前記第２の搬送量計測手段から得られる値に基づいて前記搬送手段の制御を行うことを特徴とする。
更に、搬送される記録媒体に対し、記録ヘッドを用いて記録を行う記録装置において、第１の速度で前記記録媒体を搬送するモードと前記第１の速度より低速な第２の速度で前記記録媒体を搬送するモードを有する搬送手段と、該搬送手段の回転量を計測することによって前記記録媒体の搬送量を取得する第１の搬送量計測手段と、前記記録媒体の移動量を直接検出することによって前記記録媒体の搬送量を取得する第２の搬送量計測手段と、前記第１の搬送量計測手段および前記第２の搬送量計測手段から得られるそれぞれの出力値を併用することによって前記搬送手段を制御するための制御手段とを具備し、前記制御手段は、前記第２の搬送量計測手段の有効範囲内で且つ前記第２の速度で前記記録媒体を搬送する際は、前記第２の搬送量計測手段から得られる値を用いて前記搬送手段を制御することを特徴とする。